(57)【要約】【課題】  ファンの高速回転制御をなるべく少なくして、高速回転に伴って発する騒音を全体として小さくすることのできるハードディスク付録画再生装置を提供する。【解決手段】  ハードディスク付録画再生装置は、ＡＶデータの記録と読み出しが可能なハードディスクドライブＨＤＤ及びＤＶＤと、ＨＤＤの周辺に配置され電源オン後に回転数Ｎ１で駆動されるハードディスク空冷用のファンとを備える。また、ＡＶデータをＨＤＤに記録する録画モードが実行されたときの連続録画時間を計測するタイマ手段と、タイマ手段により、連続録画時間が所定の時間Ｔ１以上経過すると、ファンの回転数を回転数Ｎ２（＞Ｎ１）に上昇させるファン制御手段と、を備える。【選択図】  図１
2008108301.tif 000002
【特許請求の範囲】
【請求項１】
ＡＶデータの記録と読み出しが可能なハードディスクと、ＡＶデータの記録と読み出しが可能なＤＶＤと、前記ハードディスクの周辺に配置され電源オン後に回転数Ｎ１で駆動されるハードディスク空冷用のファンとを備えるハードディスク付録画再生装置において、
ＡＶデータを前記ハードディスクに記録するハードディスク録画モード、又はＡＶデータを前記ハードディスクに記録しながら、その読み出しを同時に行うタイムシフト再生モードが実行されたときの連続録画時間を計測するタイマ手段と、
前記タイマ手段により、前記ハードディスク録画モードにおいて前記連続録画時間が所定の時間Ｔ１以上経過するか、又は前記タイムシフト再生モードにおいて前記連続録画時間が所定の時間Ｔ２（＜Ｔ１）以上経過すると、前記ファンの回転数を回転数Ｎ２（＞Ｎ１）に上昇させ、さらに、前記ファンの回転数を回転数Ｎ２に上昇させた後、一定時間ごとに回転数Ｎ１とＮ２とに切り換える制御を行うファン制御手段と、
を備えることを特徴とするハードディスク付録画再生装置。
【請求項２】
ＡＶデータの記録と読み出しが可能なハードディスクと、このハードディスクの周辺に配置され電源オン後に回転数Ｎ１で駆動されるハードディスク空冷用のファンとを備えるハードディスク付録画再生装置において、
ＡＶデータを前記ハードディスクに記録する録画モードが実行されたときの連続録画時間を計測するタイマ手段と、
前記タイマ手段により、前記連続録画時間が所定の時間Ｔ１以上経過すると、前記ファンの回転数を回転数Ｎ２（＞Ｎ１）に上昇させるファン制御手段と、を備えることを特徴とするハードディスク付録画再生装置。
【請求項３】
前記ハードディスクは、ＡＶデータの記録を行いながら、その読み出しを同時に行うタイムシフト再生モードが実行可能であり、
前記ファン制御手段は、前記タイムシフト再生モードが実行されているときには、そのタイムシフト再生モードの連続録画時間が所定の時間Ｔ２（＜Ｔ１）以上経過すると、前記ファンの回転数を前記回転数Ｎ２に上昇させることを特徴とする請求項２記載のハードディスク付録画再生装置。
【請求項４】
前記ファン制御手段は、前記ファンの回転数を回転数Ｎ２に上昇させた後、一定時間ごとに回転数Ｎ１とＮ２に制御することを特徴とする請求項３又は４に記載のハードディスク付録画再生装置
【発明の詳細な説明】
【技術分野】
【０００１】
この発明は、ＡＶデータの記録と読み出しが可能なハードディスクと、このハードディスクの周辺に配置されるハードディスク空冷用のファンとを備えるハードディスク付録画再生装置に関する。
【背景技術】
【０００２】
ハードディスク付録画再生装置は、ＰＣに設けられているハードディスクなどと異なり、ＡＶデータを連続して記録したり再生するため、その連続時間によっては、ディスク駆動用のスピンドルモータやヘッドの駆動部の発熱量が無視できない程度に大きくなる。特に、ＡＶデータをハードディスクに記録する録画モードでは、書き込み時のヘッド消費電流が連続して流れるために、ハードディスクドライブ全体の発熱量が相当に大きくなる。このような問題を解決するために、ハードディスクドライブに温度センサを設け、この温度センサが所定の温度上昇を検出すると、保護回路が働いてハードディスク空冷用のファンを高速で回転させるようにしたものがある。
【０００３】
しかし、このような装置では、ファン制御用の温度センサと温度制御用の回路を設けることが必要であるため、装置のコスト上昇を避けることができなかった。
【０００４】
そこで、記録再生が行われているときにファンの回転数を、記録再生が行われていない時の回転数よりも低く制御するようにしたハードディスク付録画再生装置が提案されている（特許文献１、２参照）。また、ハードディスクのスピンドルモータが回転しているときにはファンの回転数を上げ、スピンドルモータが停止しているときにはファンの回転数を低下させるハードディスク付録画再生装置が提案されている（特許文献３）。
【０００５】
また、スピンドルモータの回転スピードに比例してファンを回転させるようにしたハードディスク付録画再生装置や（特許文献４参照）、ハードディスクがパワーセーブ状態のときにファンの回転数を低下させるハードディスク付録画再生装置が提案されている（特許文献５）。
【０００６】
これらの装置では、ファン制御用の温度センサが不要であるため、コスト上昇を抑えることが可能である。
【特許文献１】特開平３−２９０８３３号公報
【特許文献２】特開平７−２８７９７５号公報
【特許文献３】特開平１０−３１２６６８号公報
【特許文献４】特開２０００−３６１８８号公報
【特許文献５】特開平６−８４３３９号公報
【発明の開示】
【発明が解決しようとする課題】
【０００７】
しかしながら、上記いずれの装置においても、ファンの回転制御が騒音と必要な空冷との関係で適切に行われているとは言い難い。すなわち、ハードディスクのスピンドルモーータが回転していたとしても、ハードディスクドライブ全体の温度がファンにより冷却すべき温度に上昇しているとは必ずしも言えないからである。例えば、スピンドルモータの回転当初は温度が上昇していないため、ファンを回転しなくても特に問題がない。
【０００８】
このように、ファンの回転数は、その時々のスピンドルモータの回転状態に厳密に依存させるべきものではないが、従来の装置は、スピンドルモータの回転状態に応じてファンの回転数を制御していたために、不必要な回転制御を行ったりすることがあり、このため、無駄な高速回転が多くなり、その時間における騒音が大きくなるという問題があった。
【０００９】
この発明の目的は、ファンの高速回転制御をなるべく少なくして、高速回転に伴って発する騒音を全体として小さくすることのできるハードディスク付録画再生装置を提供することにある。
【課題を解決するための手段】
【００１０】
この発明のハードディスク付録画再生装置は、ＡＶデータの記録と読み出しが可能なハードディスクと、このハードディスクの周辺に配置され電源オン後に回転数Ｎ１で駆動されるハードディスク空冷用のファンとを備えるハードディスク付録画再生装置において、
ＡＶデータを前記ハードディスクに記録する録画モードが実行されたときの連続録画時間を計測するタイマ手段と、前記タイマ手段により、前記連続録画時間が所定の時間Ｔ１以上経過すると、前記ファンの回転数を回転数Ｎ２（＞Ｎ１）に上昇させるファン制御手段と、を備えることを特徴とする。
【００１１】
この発明は、録画モードが連続的に長時間（所定の時間Ｔ１以上）実行されたときには、ハードディスクドライブの温度が急激に上昇する特性に着目したものである。すなわち、録画モードが連続的に所定の時間Ｔ１以上実行されたときをタイマ手段により検出し、そのときにファンの回転数を通常の回転数Ｎ１からそれ以上の回転数Ｎ２に上昇させる。
【００１２】
再生モードのときには、ヘッドに流れる電流が録画モードに比べると相対的に小さいため、スピンドルモータが長時間連続回転しても、温度上昇はそれ程高くない。このため、再生モードのときはファンの回転数を上昇させる制御は行わない。
【００１３】
この発明のハードディスク付録画再生装置においては、前記ファン制御手段は、タイムシフト再生モードが実行されているときに、そのタイムシフト再生モードの連続録画時間が所定の時間Ｔ２（＜Ｔ１）以上経過すると、前記ファンの回転数を前記回転数Ｎ２に上昇させる。タイムシフト再生モードは、第１のヘッドで録画をしながら第２のヘッドで再生を同時に行うモードであり、このモードでは、録画モードのときよりもさらに早く温度上昇する。そこで、このモードの場合には、連続録画時間が所定の時間Ｔ２（＜Ｔ１）以上経過すると、前記ファンの回転数を前記回転数Ｎ２に上昇させる。
【００１４】
また、この発明のハードディスク付録画再生装置においては、前記ファン制御手段は、前記ファンの回転数を回転数Ｎ２に上昇させた後、一定時間ごとに回転数Ｎ１とＮ２に制御する。
【００１５】
ファンを回転数Ｎ２で高速回転すると、その回転時に騒音を発生するが、高速回転が開始された後は、一定時間毎に高速回転と低速回転を繰り返しても、ハードディスクドライブ全体の温度の上昇を防止することが可能である。このような制御を行うと、騒音が発せられる時間をさらに短くできる。
【発明の効果】
【００１６】
この発明によれば、温度センサを設けなくても、ハードディスクドライブの温度上昇を防ぎながら、ファンの高速回転により騒音が発せられる時間を短くすることができる。
【発明を実施するための最良の形態】
【００１７】
図１は、この発明の実施形態であるハードディスクドライブ（ＨＤＤ）付きＤＶＤレコーダの概略構成図である。
【００１８】
図１において、ＨＤＤ１とＤＶＤ２は、制御回路３に接続され、制御回路３は、チューナ又はＡＶラインから入力するＡＶデータをＡＶ入力部４においてエンコードしてＨＤＤ１又はＤＶＤ２に記録していく。また、制御回路３は、ＨＤＤ１又はＤＶＤ２からエンコードされているデータを読み出し、ＡＶ出力部５においてこれをデコードし、さらに、音声データと映像データに分離し、前者をＤ／Ａ変換してアナログ音声信号として出力し、後者を所定のエンコーダを通して映像信号として出力する。
制御回路３の制御は、メモリ６に記憶されているフログラムにより行われる。このプログラムにはソフトタイマが組み込まれ、後述のように、録画モードの連続時間やタイムシフトモードの連続時間を計測する。制御回路３には、さらにファン駆動回路７が接続され、このファン駆動回路７によりファン８の回転を制御する。
【００１９】
ファン８は、ＨＤＤ１とＤＶＤ２に対して冷却風Ｐを送り、空冷によりこれらの温度上昇を防止する。ファン８は、装置の筐体に設けられるが、その取付位置はＨＤＤ１の近辺である。冷却風Ｐは、筐体の内部から筐体の外側に流れるようファンの取付方向が設定される。
前記制御回路３は、ＡＶ入力部４から入力されたデータをＨＤＤ１又はＤＶＤ２に記録するＨＤＤ録画モード又はＤＶＤ録画モードの他、データをＨＤＤ１に第１のヘッドで記録しながら、同時に第２のヘッドで読み出して再生するタイムシフト再生モードを実行することができる。制御回路３は、モードに応じて、ソフトタイマ（タイマ）との組み合わせによりファン駆動回路７に対してファン８の回転数制御を行うための信号を送る。なお、制御回路３は、電源オン後には、ファン８の回転数を通常時の回転数として設定されている低速の回転数Ｎ１に制御する。
【００２０】
すなわち、タイムシフト再生モードが０．５時間以上連続して実行されると、ファン回転数を、通常時の回転数として設定されている低速の回転数Ｎ１から高速の回転数Ｎ２に変更し、その後、タイムシフト再生モードが実行されている限り、０．５時間毎にＮ１とＮ２を切り換える。
【００２１】
また、ＨＤＤ録画モードが１時間以上連続して実行されると、ファン回転数を、通常時に設定されている低速の回転数Ｎ１から高速の回転数Ｎ２に変更し、その後、ＨＤＤ録画モードが実行されている限り、０．５時間毎にＮ１とＮ２を切り換える。ＤＶＤ録画モードやＤＶＤ再生モード、又はＨＤＤ再生モードのときには、ファン回転数はＮ１のままである。
【００２２】
このように、制御回路３は、モードに応じてタイマとの組み合わせにより、ファン８の回転数の制御を行い、タイムシフト再生モードのときは、０．５時間以上連続して実行されたときに高速回転数Ｎ２に移行させ、ＨＤＤ録画モードのときは、１時間以上連続して実行されたときに高速回転数Ｎ２に移行させるようにしている。したがって、タイムシフト再生モード、ＨＤＤ録画モードの順に、ファン８の冷却能力が早く高められる。このように制御するのは、タイムシフト再生モードでは、ＨＤＤの第１のヘッドと第２のヘッドの両方を連続駆動するために消費電流（発熱量）が最も多く、ＨＤＤ録画モードでは第１のヘッドのみ駆動するためにタイムシフト再生モードに比較して消費電流（発熱量）が相対的に少ないからである。
【００２３】
図２は、ファン回転数を高速回転数Ｎ２に切り換えた後に、タイマにより一定時間毎にＮ２→Ｎ１→Ｎ２・・・に制御する状態を示している。このように制御しても、同図に示すように、ＨＤＤの温度が制御の休止期間Ｔ０において上昇しても、次の制御期間において再び低下するために、ＨＤＤの温度が危険温度に上昇することを防ぐことができる。そして、全体として高速回転数Ｎ２の制御時間を短くできるため、その分騒音が大きくなる時間を防止することができる。
【００２４】
図３は、上記ＨＤＤ付きＤＶＤレコーダのファン制御動作を示すフローチャートである。このフローチャートは、タイマ割り込みにより（例えば数１０ｍｓｅｃ毎のタイマ割り込み）実行される。
【００２５】
ＳＴ１〜ＳＴ３において、現在、設定されているモードの判定を行う。ＳＴ１では、録画モードであるかどうかを判定、ＳＴ２ではＨＤＤ録画モードがＤＶＤ再生モードかの判定を行う。ＳＴ３では、タイムシフト再生モードかどうか判定する。ＨＤＤ録画モードであれば、ＳＴ４において１時間以上連続して同モードが続いているかどうかの判定を行う。連続していなければ、ＳＴ８においてファン低速モードを実行する。連続していれば、ＳＴ６に進み、ファン高速モードを実行する。さらに、ＳＴ７に進み、０．５Ｈ毎にファン高速モードとファン低速モードを切り換える。なお、ファン低速モードでは、ファン回転数が通常回転数Ｎ１（低速回転数Ｎ１）に制御され、ファン高速モードでは、ファン回転数が高速回転数Ｎ２）に制御される。
【００２６】
上記ＳＴ３において、タイムシフト再生モードが実行されていることが判定されると、ＳＴ５において０．５時間以上連続して同モードが続いているかどうかの判定を行う。連続していなければ、ＳＴ８においてファン低速モードを実行する。連続していれば、ＳＴ６に進み、ファン高速モードを実行する。さらに、ＳＴ７に進み、０．５Ｈ毎にファン高速モードとファン低速モードを切り換える。
【００２７】
なお、ＨＤＤ録画モード又はタイムシフト再生モードが停止したときは、ＳＴ８においてファン低速モードとなる。
【００２８】
以上の制御により、ＨＤＤの温度上昇を防ぎながら、ファン８の高速回転時に発する騒音の時間を全体として短くすることができ、不快感を現象させることができる。また、ＨＤＤの温度上昇を検出するための特別の温度センサ及び温度検出回路が不要であるため、その分コストダウンを図ることができる。
【００２９】
なお、本実施形態では、ＨＤＤ１とＤＶＤ２とを備える記録再生装置を示したが、ＨＤＤ１のみ備える記録再生装置にもこの発明を適用できる。
【図面の簡単な説明】
【００３０】
【図１】この発明の実施形態であるＨＤＤ付きＤＶＤレコーダの概略ブロック図である。
【図２】ファン回転数制御について説明するための図である。
【図３】ＨＤＤ付きＤＶＤレコーダのファン制御動作を示すフローチャートである
【図１】
2008108301.tif 000003
【図２】
2008108301.tif 000004
【図３】
2008108301.tif 000005